(57)【要約】空気質管理システム及び方法、並びに分析サーバーが開示される。空気質管理システムは、周辺の空気質を測定して空気質測定データを送信し、受信したソリューションに基づき、空気清浄機能、除湿機能、及び加湿機能の少なくとも１つを制御する空気清浄機と、前記空気清浄機から受信した前記空気質測定データを分析して空気質の類型を導出し、導出された空気質の類型に応じて、既定義の上記ソリューションを前記空気清浄機に提供する分析サーバーと、を含む。
2019510188.tif 000002
【特許請求の範囲】
【請求項１】
周辺の空気質を測定して空気質測定データを送信し、受信したソリューションに基づき、空気清浄機能、除湿機能、及び加湿機能の少なくとも１つを制御する空気清浄機と、
前記空気清浄機から受信した前記空気質測定データを分析して空気質の類型を導出し、導出された空気質の類型に応じて、予め定義された前記ソリューションを前記空気清浄機に提供する分析サーバーと、を含む、空気質管理システム。
【請求項２】
前記分析サーバーは、
前記空気清浄機と通信を行って前記空気質測定データを収集するデータ収集部と、
前記空気質測定データを分析して空気質の類型を導出する分析部と、
予め分類された複数の空気質の類型に対して、予め定義されたソリューションを格納するデータベースと、
前記分析部により導出された空気質の類型に応じて予め定義されたソリューションを前記データベースから検索して前記空気清浄機に提供するソリューション提供部と、を含む、請求項１に記載の空気質管理システム。
【請求項３】
前記分析部は、予め設定された期間中に測定された複数の空気質測定データの時系列パターンが、前記予め分類された複数の空気質の類型の時系列パターンと類似するか否かを分析して、前記空気質の類型を導出する、請求項２に記載の空気質管理システム。
【請求項４】
前記予め定義されたソリューションは、各空気質の類型毎に定義された、空気清浄機の制御方法、換気方法、フィルターのカスタマイズの少なくとも１つを含む、請求項２に記載の空気質管理システム。
【請求項５】
前記空気清浄機の制御方法は、
各空気質類型における塵の濃度の時系列パターンにおいて、塵の濃度が増加し始めて予め設定された第１基準値に達するかそれ以上に高くなると、前記空気清浄機の風量を増加させて動作させ、その後、塵の濃度が低下し始めて予め設定された第２基準値を下回ると、前記空気清浄機の風量を元の状態に復帰させる制御方法と、
前記塵の濃度の時系列パターンにおいて、塵の濃度が低下し始めて予め設定された第３基準値を下回ると、前記空気清浄機の風量を減少させるように動作させ、その後、塵の濃度が増加し始めて予め設定された第４基準値に達するかそれ以上に高くなると、前記空気清浄機の風量を元の状態に復帰させる制御方法と、を含む、請求項４に記載の空気質管理システム。
【請求項６】
前記空気清浄機の制御方法は、
各空気質類型における湿度の時系列パターンにおいて、湿度が高くなり始めて予め設定された第６基準値に達するかそれ以上に高くなると、除湿機能を動作させ、その後、湿度が低くなり始めると除湿機能を停止させる制御方法と、
前記湿度の時系列パターンにおいて、湿度が低くなり始めて予め設定された第７基準値を下回ると加湿機能を動作させ、その後、湿度が高くなり始めると加湿機能を停止させる制御方法と、を含む、請求項４に記載の空気質管理システム。
【請求項７】
前記換気方法は、
各空気質類型における二酸化炭素の濃度の時系列パターンにおいて、二酸化炭素の濃度が高くなり始めて予め設定された第５基準値に達するかそれ以上に高くなると、該当時点から二酸化炭素の濃度が減少し始める時点まで換気を通知することを含む、請求項４に記載の空気質管理システム。
【請求項８】
前記予め定義されたソリューションは、各空気質の類型毎に定義された、空調器または換気装置の制御方法、冷房機器の制御方法、及び暖房機器の制御方法の少なくとも１つをさらに含む、請求項４に記載の空気質管理システム。
【請求項９】
前記空調器または換気装置の制御方法は、
各空気質類型における二酸化炭素の濃度の時系列パターンにおいて、二酸化炭素の濃度が増加し始めて予め設定された第５基準値に達するかそれ以上に高くなると、該当時点から二酸化炭素の濃度が減少し始める時点まで、前記空調器または前記換気装置の風量を増加させる制御方法を含む、請求項８に記載の空気質管理システム。
【請求項１０】
前記冷房機器の制御方法は、季節毎の温度の時系列パターンにおいて、温度が予め設定された高い方の比率以内に属する期間に前記冷房機器を稼動する制御方法を含み、
前記暖房機器の制御方法は、季節毎の温度の時系列パターンにおいて、温度が予め設定された低い方の比率以内に属する期間に前記暖房機器を稼動する制御方法を含む、請求項８に記載の空気質管理システム。
【請求項１１】
前記ソリューション提供部は、前記空気清浄機が設置された空間の環境的特性または前記ソリューションを提供する時点の季節的特性を考慮して前記ソリューションを提供する、請求項２に記載の空気質管理システム。
【請求項１２】
前記分析サーバーから前記ソリューションを受信して表示するユーザー端末をさらに含み、
前記ソリューション提供部は、前記分析部により導出された空気質の類型と対応する予め定義されたソリューションを前記ユーザー端末に提供する、請求項２に記載の空気質管理システム。
【請求項１３】
空気清浄機によって予め設定された期間中に測定された複数の空気質測定データを収集する段階と、
前記複数の空気質測定データの時系列パターンを分析して空気質の類型を導出する段階と、
導出された空気質の類型に応じて、予め定義されたソリューションを前記空気清浄機に提供する段階と、を含む、空気質管理方法。
【請求項１４】
前記空気質の類型を導出する段階は、
前記複数の空気質測定データの時系列パターンが、予め分類された複数の空気質の類型の時系列パターンと類似するか否かを分析して前記空気質の類型を導出する、請求項１３に記載の空気質管理方法。
【請求項１５】
前記予め定義されたソリューションは、各空気質の類型毎に定義された、空気清浄機の制御方法、換気方法、及びフィルターのカスタマイズの少なくとも１つを含む、請求項１３に記載の空気質管理方法。
【請求項１６】
前記予め定義されたソリューションは、各空気質の類型毎に定義された、空調器または換気装置の制御方法、冷房機器の制御方法、及び暖房機器の制御方法の少なくとも１つをさらに含む、請求項１５に記載の空気質管理方法。
【請求項１７】
前記予め定義されたソリューションを前記空気清浄機に提供する段階は、
前記空気清浄機が設置された空間の環境的特性、または前記ソリューションを提供する時点の季節的特性を考慮して前記ソリューションを提供する、請求項１３に記載の空気質管理方法。
【請求項１８】
前記導出された空気質の類型に応じて予め定義されたソリューションをユーザー端末に提供する段階をさらに含む、請求項１３に記載の空気質管理方法。
【請求項１９】
空気清浄機と通信を行って空気質測定データを収集するデータ収集部と、
前記空気質測定データを分析して空気質の類型を導出する分析部と、
予め分類された複数の空気質の類型に対して、予め定義されたソリューションを格納するデータベースと、
前記分析部により導出された空気質の類型と対応する予め定義されたソリューションを前記データベースから検索して前記空気清浄機に提供するソリューション提供部と、を含む、分析サーバー。
【請求項２０】
前記分析部は、予め設定された期間中に測定された複数の空気質測定データの時系列パターンが、前記予め分類された複数の空気質の類型の時系列パターンと類似するか否かを分析して前記空気質の類型を導出する、請求項１９に記載の分析サーバー。
【請求項２１】
前記予め定義されたソリューションは、各空気質の類型毎に定義された、空気清浄機の制御方法、換気方法、及びフィルターのカスタマイズの少なくとも１つを含む、請求項１９に記載の分析サーバー。
【請求項２２】
前記予め定義されたソリューションは、各空気質の類型毎に定義された、空調器または換気装置の制御方法、冷房機器の制御方法、及び暖房機器の制御方法の少なくとも１つをさらに含む、請求項２１に記載の分析サーバー。
【請求項２３】
前記ソリューション提供部は、前記空気清浄機が設置された空間の環境的特性、または前記ソリューションを提供する時点の季節的特性を考慮して前記ソリューションを提供する、請求項１９に記載の分析サーバー。
【発明の詳細な説明】
【技術分野】
【０００１】
本出願は、空気質管理システム及び方法、並びに分析サーバーに関する。
【背景技術】
【０００２】
空気清浄機は、空気に含まれている汚染物質を浄化して新鮮な空気に変える装置であって、近年、種々のセンサーを備えており、空気清浄機能に加えて除湿または加湿機能が付加された製品も発売されている。
【０００３】
通常、空気清浄機は、ユーザーによって入力された入力信号に応じて手動で動作するか、空気清浄機に搭載されているプロセッサーにより予め設定された方式に従って自動で動作することができる。
【０００４】
しかしながら、手動で動作する場合には、ユーザーがリアルタイムで空気質を正確に把握し、それに応じて適切な動作方法を選択するのに困難がある。また、自動で動作する場合にも、空気清浄機が設置された空間の空気質にかかわらず、空気清浄機が同一の基準に従って動作するため、空気清浄機の設置された空間毎に異なる空気質を効率的に改善するには限界がある。
【発明の概要】
【発明が解決しようとする課題】
【０００５】
本発明は、空気清浄機が設置された空間の空気質に基づいて、空気清浄機の動作を制御することにより、効率的に空気質を管理する方式を提供することを目的とする。
【課題を解決するための手段】
【０００６】
上記の課題を解決するために、本発明の一実施形態は、空気質管理システムを提供する。
【０００７】
本発明の一実施形態による空気質管理システムは、周辺の空気質を測定して空気質測定データを送信し、受信したソリューションに基づき、空気清浄機能、除湿機能、及び加湿機能の少なくとも１つを制御する空気清浄機と、前記空気清浄機から受信した前記空気質測定データを分析して空気質の類型を導出し、導出された空気質の類型に応じて、予め定義された前記ソリューションを前記空気清浄機に提供する分析サーバーと、を含む。
【０００８】
また、本発明の他の実施形態は、空気質管理方法を提供する。
【０００９】
本発明の他の実施形態による空気質管理方法は、空気清浄機によって予め設定された期間中に測定された複数の空気質測定データを収集する段階と、前記複数の空気質測定データの時系列パターンを分析して空気質の類型を導出する段階と、導出された空気質の類型と対応する予め定義されたソリューションを前記空気清浄機に提供する段階と、を含む。
【００１０】
また、本発明のさらに他の実施形態は、分析サーバーを提供する。
【００１１】
本発明のさらに他の実施形態による分析サーバーは、空気清浄機と通信を行って空気質測定データを収集するデータ収集部と、前記空気質測定データを分析して空気質の類型を導出する分析部と、予め分類された複数の空気質の類型と対応する予め定義されたソリューションを格納するデータベースと、前記分析部により導出された空気質の類型と対応する予め定義されたソリューションを前記データベースから検索して前記空気清浄機に提供するソリューション提供部と、を含むことができる。
【００１２】
尚、上記の課題の解決手段は、本発明の特徴を全て列挙しているわけではない。本発明の様々な特徴とそれによる利点および効果は、下記の具体的な実施形態を参照してより詳細に理解されることができるであろう。
【発明の効果】
【００１３】
本発明の一実施形態によると、空気清浄機が設置された空間の空気質に応じてカスタマイズされたソリューションを提供することで、より効率的に空気質を管理することができる。
【図面の簡単な説明】
【００１４】
【図１】本発明の一実施形態による空気質管理システムのブロック図である。
【図２】本発明の他の実施形態による空気質管理方法のフローチャートである。
【図３】本発明の一実施形態によって分類された複数の空気質の類型及び各類型毎にカスタマイズされたソリューションの例を示す図である。
【図４】本発明の一実施形態によって分類された複数の空気質の類型及び各類型毎にカスタマイズされたソリューションの例を示す図である。
【図５】本発明の一実施形態によって分類された複数の空気質の類型及び各類型毎にカスタマイズされたソリューションの例を示す図である。
【発明を実施するための形態】
【００１５】
以下、添付された図面を参照して、本発明が属する技術分野における通常の知識を有する者が本発明を容易に実施できるように、好ましい実施形態を詳細に説明する。但し、本発明の好ましい実施形態を詳細に説明するにあたり、係わる公知技術または構成に対する具体的な説明が本発明の要旨を不明瞭にする可能性があると判断される場合には、その詳細な説明を省略する。また、類似の機能及び作用をする部分に対しては図面全体にわたって同一の符号を用いる。
【００１６】
尚、明細書の全体において、ある部分が他の部分と「連結」されているとする場合、これは「直接的に連結」されている場合だけでなく、その間に他の素子を介して「間接的に連結」されている場合も含む。また、ある構成要素を「含む」ということは、特に反対される記載がない限り、他の構成要素を除外するのではなく、他の構成要素をさらに含み得るということを意味する。
【００１７】
図１は本発明の一実施形態による空気質管理システムのブロック図である。
【００１８】
図１を参照すると、本発明の一実施形態による空気質管理システム１００は、空気清浄機１１０と、分析サーバー１２０と、ユーザー端末１３０と、を含んで構成されることができる。
【００１９】
空気清浄機１１０は、送風部１１１、清浄部１１２、センサー部１１３、制御部１１４、除湿部１１５、加湿部１１６、表示部１１７、及び通信部１１８を含み、周辺の空気質を測定して空気質測定データを後述の分析サーバー１２０に提供し、分析サーバー１２０から受信したデータに基づいて、空気清浄機能、除湿機能、及び加湿機能の少なくとも１つを自動で制御することができる。
【００２０】
送風部１１１は、外部の空気が空気清浄機１１０の内部に流入することができるように空気の流れを形成することができ、送風ファンと、送風ファンを駆動するためのモーターとを含むことができる。
【００２１】
この場合、送風ファンは、モーターによって回転して空気の流れを形成することができる。また、モーターの回転速度（すなわち、毎分回転数（revolutions per minute；ＲＰＭ））は、制御部１１４から伝達された制御信号に応じて調節されることができる。
【００２２】
清浄部１１２は、空気清浄機１１０の内部に流入する空気に含まれる汚染物質を濾過するために設けることができ、例えば、空気清浄機１１０の内部に流入する空気中の汚染物質を吸着する方式などを用いて汚染物質を除去することができる。
【００２３】
例えば、清浄部１１２は、１つ以上のフィルターで構成することができ、また、空気清浄機１１０の吸気口に配置することができ、または空気清浄機１１０の吸気口と排気口にそれぞれ配置することができる。ここで、１つ以上のフィルターの場合には、例えば、前置フィルター（prefilter）、機能性フィルター、ヘパフィルター（High Efficiency Particulate Air filter；HEPA fIlter）、消臭フィルターなどの種々のフィルターを含むことができる。この場合にはまた、前置フィルターは、比較的大きな塵埃粒子、毛髪、ペットの毛髪等を除去するために設けることができ、機能性フィルターは、花粉、ハウスダストダニ、ウイルス、バクテリアなどを除去し、抗菌機能を有するものであってもよく、ヘパフィルターは、細塵、室内カビのような各種細菌などを除去するものとすることができ、ヘパフィルターは、細かいダストダニおよび室内のカビ胞子などの様々な微生物を除去するものであり、消臭フィルターは、室内の各種の臭気や有害ガス等を除去するものである。
【００２４】
センサー部１１３は、空気清浄機１１０の周辺の空気質を測定するために設けることができる。例えば、センサー部１１３は、空気中の塵の濃度を測定する塵センサー、空気中のＣＯ２の濃度を測定するＣＯ２センサー、空気中のガスの濃度を測定するガスセンサー、空気中のラドンの濃度を測定するラドンセンサー、周辺空気の温度を測定する温度センサー、及び周辺空気の湿度を測定する湿度センサーなど、空気の状態を測定することが可能な種々のセンサーを含んで構成されることができる。
【００２５】
図１では、センサー部１１３が空気清浄機１１０に含まれる状態で示されているが、必ずしもこれに制限されることはない。例えば、センサー部１１３は、空気清浄機１１０と分離された別のセンシング装置として実現されてもよい。
【００２６】
制御部１１４は、空気清浄機１１０の動作を全体的に制御するため設けることができる。例えば、制御部１１４は、中央処理装置（CPU）、グラフィック処理処置（GPU）、マイクロプロセッサー、特定用途向け集積回路（application specific integrated circuit：ASIC）、フィールドプログラマブルゲートアレイ（field programmable gate arrays：FPGA）などのプロセッサーとして実現されることができる。
【００２７】
一実施形態によれば、制御部１１４は、センサー部１１３によって測定された空気質測定データを分析サーバー１２０に送信するように制御することができる、また例えば、空気質の類型に応じて予め定義された制御方法など、分析サーバー１２０から受信したデータに基づいて、送風部１１１、除湿部１１５、及び加湿部１１６の少なくとも１つの動作を制御することができる。
【００２８】
除湿部１１５は、空気清浄機１１０の内部に流入する空気に含まれている水分を除去するために設けることができる。例えば、除湿部１１５は、圧縮機、凝縮器、及び熱交換器を含む冷凍サイクルを利用して空気中の湿気を除去することができる。しかし、必ずしもこれに限定されることはなく、除湿部１１５は、この技術分野で公知の様々な方式により、空気に含まれている水分を除去することができる。
【００２９】
加湿部１１６は、空気清浄機１１０の内部に流入する空気に水分を供給するために設けることができる。例えば、加湿部１１６は、自然気化方式により空気に水分を供給することができる。しかし、必ずしもこれに限定されることはなく、加湿部１１６は、この技術分野で公知の様々な方式により、空気に水分を供給することができる。
【００３０】
表示部１１７は、空気清浄機１１０の動作に係る各種情報を表示するために設けることができる。例えば、表示部１１７を介して、センサー部１１３により測定された空気質測定データを表示し、また、分析サーバー１２０により導出された空気質の類型情報または該当空気質の類型に基づいて提案されたソリューションを表示して、ユーザーに提供することができる。
【００３１】
通信部１１８は、分析サーバー１２０との通信を行うために設けることができ、例えば、Ｗｉ−Ｆｉ、ＺｉｇＢｅｅなどのように、通常の技術者に公知の様々な無線通信技術により実現されることができる。
【００３２】
分析サーバー１２０は、空気清浄機１１０から受信した空気質測定データを分析して空気質の類型を導出することができるものであり、導出された空気質の類型に応じてカスタマイズされたソリューションを提供することができる。分析サーバー１２０は、データ収集部１２１、分析部１２２、ソリューション提供部１２３、及びＤＢ１２４を含む構成とすることができる。
【００３３】
データ収集部１２１は、空気清浄機１１０と通信を行うことにより、空気質測定データを収集することができる。
【００３４】
分析部１２２は、データ収集部１２１により収集した空気質測定データを分析して、空気質の類型を導出することができる。
【００３５】
具体的に、分析部１２２は、予め設定された期間中に測定された複数の空気質測定データの時系列パターンを分析することにより、空気質の類型を導出することができる。例えば、分析部１２２は、例えば、塵の濃度、二酸化炭素の濃度、温度、湿度など、空気質測定データの種類毎に測定データの時系列パターンを分析することにより、空気質の類型を分類することができる。
【００３６】
そのために、分析部１２２は、収集した空気質測定データの時系列パターンが、予め分類された複数の空気質の類型のうち、どの時系列パターンと類似しているかを判断して空気質の類型を導出することができる。ここで、前もって複数の世帯で測定された大量のデータを分析し、空気質測定データの時系列パターンが類似するパターンに応じて世帯を分類し、該当世帯の空気質特性を分析して分類することにより、予め分類された複数の空気質の類型を得ることができる。また、分類された各空気質の類型毎に空気質を効率的に改善するための空気清浄機の制御方法、換気方法、フィルターのカスタマイズなどのソリューションは、予め定義して、ＤＢ１２４に格納することができる。例えば、空気清浄機の制御方法は、空気清浄機能の作動時間及び風量、加湿機能または除湿機能の作動時間及び風量などを含むことができる。
【００３７】
図３から図５は、本発明の一実施形態によって分類された複数の空気質の類型及び各類型毎のカスタマイズされたソリューションの例を示す図である。具体的に、図３は塵の濃度の時系列パターンによって分類された空気質の類型を示し、図４は二酸化炭素の濃度の時系列パターンによって分類された空気質の類型を示し、図５は湿度の時系列パターンによって分類された空気質の類型を示している。
【００３８】
図３に示したように、空気質の類型は、塵の濃度の時系列パターンによって（ａ）〜（ｆ）に分類されることができる。図３に示した（ａ）〜（ｆ）の各グラフにおいて、横軸は時間を示し、縦軸は細塵の濃度を示す。
【００３９】
図３に示したように、空気質の類型を分類する場合、各空気質類型における塵の濃度の時系列パターンにおいて塵の濃度が増加し始めて、予め設定された第１基準値に達するかそれ以上に高くなると、例えば、図３において点で示された領域のターボ動作モードで、空気清浄機の風量を増加させて動作させることができる。その後、塵の濃度が低下し始めて予め設定された第２基準値未満になると、空気清浄機の風量を元のレベルに復帰させることができる。ここで、第１基準値は、第２基準値よりも低く設定することができる。
【００４０】
一方、各空気質類型における塵の濃度の時系列パターンにおいて、塵の濃度が低くなり始めて予め設定された第３基準値未満に低下すると、例えば、図３において十字で示された領域の待機モードで、空気清浄機の風量を減少させるよう動作させることができる。その後、塵の濃度が増加し始めて予め設定された第４基準値に達するかそれ以上に高くなると、空気清浄機の風量を元のレベルに復帰させることができる。ここで、第３基準値は、第４基準値よりも低く設定することができる。
【００４１】
また、図４に示したように、空気質の類型は、二酸化炭素の濃度の時系列パターンによって（ａ）〜（ｆ）に分類されることができる。図４に示した（ａ）〜（ｆ）の各グラフにおいて、横軸は時間を示し、縦軸は二酸化炭素の濃度を示す。
【００４２】
図４に示したように、空気質の類型を分類する場合、各空気質類型における二酸化炭素の濃度の時系列パターンにおいて二酸化炭素の濃度が増加し始めて予め設定された第５基準値に達するかそれ以上となると、ユーザーに換気を通知するか、または換気風量を増加させることができる。この場合、空調機又は換気装置の推奨換気時間または換気風量を増加させる時間は、例えば、図４に点で示された領域で、二酸化炭素の濃度が第５基準値に達するかそれ以上となった時点から、二酸化炭素の濃度が減少し始める時間まで設定することができるが、必ずしもこれに制限されるものではなく、各空気質の類型の特性に応じて設定することができる。
【００４３】
また、図５に示したように、空気質の類型は、湿度の時系列パターンによって（ａ）〜（ｆ）に分類されることができる。図５に示した（ａ）〜（ｆ）の各グラフにおいて、横軸は時間を示し、縦軸は湿度を示す。
【００４４】
例えば、図５に示したよう、に空気質の類型を分類する場合、各空気質の類型における湿度の時系列パターンにおいて湿度が高くなり始めて予め設定された第６基準値に達するかそれ以上となると、例えば、図５において点で示された領域で、除湿機能を動作させることができる。その後、湿度が低下し始めると、除湿機能を停止させることができる。
【００４５】
一方、各空気質類型における湿度の時系列パターンにおいて、湿度が低くなり始めて予め設定された第７基準値を下回ると、例えば、図５において十字で示された領域で、加湿機能を動作させることができる。その後、湿度が増加し始めると、加湿機能を停止させることができる。
【００４６】
その他にも、季節毎の温度の時系列パターンにおいて、温度が高い期間、例えば上位２０％以内の期間を冷房機器の稼動スケジュールに設定することができ、また、温度が低い期間、例えば下位２０％以内の期間を暖房機器の稼動スケジュールに設定することもできる。
【００４７】
図３から図５に示した複数の空気質の類型は、本発明の実施形態を説明するための例示に過ぎず、各汚染源毎の空気質類型の時系列パターン、種類などは上述のものに限定されない。
【００４８】
ソリューション提供部１２３は、分析部１２２により導出された空気質の類型に応じてカスタマイズされたソリューションを空気清浄機１１０またはユーザー端末１３０に提供することができる。
【００４９】
例えば、ソリューション提供部１２３は、分析部１２２により導出された空気質の類型に応じて、ＤＢ１２４に格納された予め定義されたソリューションのうち、空気清浄機の制御方法に関するデータを空気清浄機１１０に提供することで、空気清浄機１１０が自動で稼動することができ、また、ユーザーがそれに応じて適切な措置を取ることができるように、換気方法またはカスタマイズしたフィルターの情報を空気清浄機１１０またはユーザー端末１３０に提供することができる。
【００５０】
その他にも、ソリューション提供部１２３は、ＤＢ１２４に格納された予め定義されたソリューションのうち、空調器または換気装置の制御方法、冷房機器または暖房機器の制御方法に関するデータを該当機器に提供することで、空気質に影響を与える様々な機器の動作を自動で制御することもできる。
【００５１】
また、ソリューション提供部１２３は、空気清浄機１１０が設置された空間の環境的特性、例えば、空気質測定データの測定範囲、平均値、室外空気質測定データなど、またはソリューションを提供する時点の季節的特性、例えば、季節毎の平均温度、湿度などをさらに考慮することにより、導出された空気質の類型に応じてカスタマイズされたソリューションを提供することができる。例えば、ソリューション提供部１２３は、上述の環境的特性または季節的特性を考慮して、空気清浄機の制御方法または換気を提案するときの基準値（上述の第１〜第７基準値）を調節することで、さらにユーザーに適切なソリューションを提供することができる。
【００５２】
上述の分析サーバー１２０は、任意の上述のシステム、または、例えば、パーソナルコンピューター、サーバーコンピューター、ハンドヘルドまたはラップトップデバイス、モバイルデバイス（モバイルフォン、ＰＤＡ、メディアプレーヤーなど）、マルチプロセッサーシステム、民生用電子機器、小型コンピューター、メインフレームコンピューターなど、任意の上述のシステムまたはデバイスを含む分散コンピューティング環境などを有するコンピューティングデバイスにより実現することができる。
【００５３】
ユーザー端末１３０は、分析サーバー１２０から導出された空気質の類型に応じてカスタマイズされたソリューションを受信し、ディスプレイなどを介してユーザーに提供することができる。例えば、ユーザー端末１３０は、入出力機能と通信機能を備えた携帯端末、タブレットなどの機器として実現することができる。
【００５４】
図２は本発明の他の実施形態による空気質管理方法のフローチャートである。
【００５５】
図２を参照すると、先ず、予め設定された期間中に測定された空気質測定データを収集し（Ｓ２１）、収集された空気質測定データの時系列パターンを分析して空気質の類型を導出し（Ｓ２２）、その後、カスタマイズされたソリューションを、導出された空気質の類型に基づいて、ユーザーに提供することができる（Ｓ２３）。
【００５６】
上述の各段階の具体的な内容は、図１を参照して上述したものと同一であるため、それに対する具体的な説明は省略する。また、上述の空気質管理方法は、図１に示された空気質管理システムによって行うことができる。
【００５７】
本発明は上述の実施形態及び添付図面によって限定されることはない。
以上では例示的な実施形態を示し説明したが、添付の特許請求の範囲によって規定される本発明の開示の範囲から逸脱することなく、変更および変形が可能であることは、当業者には明らかであろう。
【図１】
2019510188.tif 000003
【図２】
2019510188.tif 000004
【図３（ａ）】
2019510188.tif 000005
【図３（ｂ）】
2019510188.tif 000006
【図３（ｃ）】
2019510188.tif 000007
【図３（ｄ）】
2019510188.tif 000008
【図３（ｅ）】
2019510188.tif 000009
【図３（ｆ）】
2019510188.tif 000010
【図４（ａ）】
2019510188.tif 000011
【図４（ｂ）】
2019510188.tif 000012
【図４（ｃ）】
2019510188.tif 000013
【図４（ｄ）】
2019510188.tif 000014
【図４（ｅ）】
2019510188.tif 000015
【図４（ｆ）】
2019510188.tif 000016
【図５（ａ）】
2019510188.tif 000017
【図５（ｂ）】
2019510188.tif 000018
【図５（ｃ）】
2019510188.tif 000019
【図５（ｄ）】
2019510188.tif 000020
【図５（ｅ）】
2019510188.tif 000021
【図５（ｆ）】
2019510188.tif 000022
【国際調査報告】
2019510188.tif 000023
2019510188.tif 000024
2019510188.tif 000025
2019510188.tif 000026